(57)【要約】      （修正有）【課題】部品点数を増加させることなく、電源効率が良く、ノイズの発生を抑止する擬似共振制御方式のスイッチング電源装置を提供する。【解決手段】擬似共振制御方式のスイッチグ電源装置１は、トランスＴと、スイッチング素子１４と、デジタル制御部１０と、検知回路１３とを備え、さらに、レギュレータ１１と、ゲートドライバ１２と、定電圧ダイオードＺＤとを備える。デジタル制御部１０は、入力電圧が所定の閾値電圧を下回った場合、割り込み処理を行う割り込み処理部と、入力電圧が所定の閾値電圧を下回った場合、所定の出力時間、スイッチング素子をオンさせる信号を出力する出力部と、スイッチング素子をオンさせる信号の出力が停止している停止時間を計測する記憶部と、閾値電圧および／または出力電圧に応じてスイッチング素子をオンさせる信号の出力の開始時間、出力時間および停止時間を制御する制御部とを有する。【選択図】図１
2015070771.tif 000002
【特許請求の範囲】
【請求項１】
擬似共振制御方式のスイッチング電源装置において、
１次巻線、補助巻線および２次巻線を有するトランスと、
電源に前記１次巻線を介して直列に接続されるスイッチング素子と、
前記補助巻線からの入力電圧に応じて前記スイッチング素子をオンさせる信号を制御するデジタル制御部と、
前記２次巻線の出力電圧の検知する検知回路と
を備え、
前記デジタル制御部は、
前記補助巻線からの前記入力電圧を入力する入力部と、
前記入力電圧が所定の閾値電圧を下回ったか否かを判定する判定部と、
前記入力電圧が所定の閾値電圧を下回った場合、割り込み処理を行う割り込み処理部と、
前記入力電圧が所定の閾値電圧を下回った場合、所定の出力時間、前記スイッチング素子をオンさせる信号を出力する出力部と、
前記スイッチング素子をオンさせる信号の出力が停止している停止時間を計測する記憶部と、
前記閾値電圧および／または前記出力電圧に応じて前記スイッチング素子をオンさせる信号の出力の開始時間、前記出力時間および前記停止時間を制御する制御部と
を有することを特徴とするスイッチング電源装置。
【請求項２】
前記制御部は、前記入力電圧の下限値となる時間が前記入力電圧の前記閾値電圧となる時間より遅い場合、前記スイッチング素子をオンさせる信号の出力の開始時間を、現在の開始時間よりも遅くすることを特徴とする請求項１に記載のスイッチング電源装置。
【請求項３】
前記制御部は、前記入力電圧の下限値となる時間が前記入力電圧の前記閾値電圧となる時間と一致する場合、前記スイッチング素子をオンさせる信号の出力の開始時間を変更しないことを特徴とする請求項１または２に記載のスイッチング電源装置。
【請求項４】
前記制御部は、前記出力電圧が所定の電圧より高い場合、前記スイッチング素子をオンさせる信号の出力時間を、現在の出力時間よりも短くすることを特徴とする請求項１〜３のいずれか一項に記載のスイッチング電源装置。
【請求項５】
前記制御部は、前記出力電圧が所定の電圧より低い場合、前記スイッチング素子をオンさせる信号の出力時間を、現在の出力時間よりも長くすることを特徴とする請求項１〜４のいずれか一項に記載のスイッチング電源装置。
【請求項６】
前記制御部は、前記出力電圧が所定の電圧と一致する場合、前記スイッチング素子をオンさせる信号の出力時間を変更しないことを特徴とする請求項１〜５のいずれか一項に記載のスイッチング電源装置。
【請求項７】
前記スイッチング電源装置は、さらに、
前記デジタル制御部への前記入力電圧を前記デジタル制御部の耐圧以下の値に制限する定電圧ダイオードを備えることを特徴とする請求項１〜６のいずれか一項に記載のスイッチング電源装置。
【発明の詳細な説明】
【技術分野】
【０００１】
本発明は、スイッチング電源装置に関し、特に、本発明は、擬似共振制御方式のスイッチング電源装置に関する。
【背景技術】
【０００２】
従来、スイッチング電源おける電力損失は、スイッチング素子のオンオフ切り替え時に発生する電力等として知られている。スイッチング素子のオンオフ切り替え時に発生する電力は、電界効果型トランジスタを用いる場合、ドレイン電流Ｉｄとドレイン電圧Ｖｄｓの積となる（Ｐ＝Ｉｄ×Ｖｄｓ）。この損失を減らすためには、スイッチング素子のオンオフ切り替え時のドレイン電流Ｉｄあるいはドレイン電圧Ｖｄｓを小さくする必要がある。
【０００３】
このような問題に対して、疑似共振制御方式のスイッチング電源装置が提案されている（例えば、特許文献１）。特許文献１には、ドレイン電圧Ｖｄｓが小さくなった時点（擬似共振ボトム点）でスイッチング素子のオンオフを切り替え、スイッチングによる電力損失を抑え、電源効率を改善し、ノイズの発生量を小さくする疑似共振制御方式のスイッチング電源装置が記載されている。
【０００４】
このようなスイッチング電源装置では、アナログ集積回路等により擬似共振ボトム点を検出し、そのタイミングに応じてスイッチング素子を駆動するのが一般的であった。
【０００５】
しがしながら、特許文献１記載の技術は、アナログ集積回路等による擬似共振ボトム点の検出を行っている為、擬似共振ボトム点の正確な時間を検出することが難しく、電源効率が低下し、スイッチングノイズの低減が不十分であった。また、特許文献１記載の技術は、擬似共振ボトム点の時間の正確な検出および／または検出を行う場合、ボトム点検出用の追加回路によって解決する必要があり、小型化することが困難であった。
【先行技術文献】
【特許文献】
【０００６】
【特許文献１】特開２０１１−１２０４１６号公報
【発明の概要】
【発明が解決しようとする課題】
【０００７】
上記事情に鑑み、本発明は、擬似共振制御方式のスイッチング電源装置において、部品点数を増加させることなく、電源効率が良く、ノイズの発生を抑止するスイッチング電源装置を提供することを目的とするものである。
【課題を解決するための手段】
【０００８】
本発明のスイッチング電源装置は、１次巻線、補助巻線および２次巻線を有するトランスと、電源に１次巻線を介して直列に接続されるスイッチング素子と、補助巻線からの入力電圧に応じてスイッチング素子をオンさせる信号を制御するデジタル制御部と、２次巻線の出力電圧の検知する検知回路とを備え、デジタル制御部は、補助巻線からの入力電圧を入力する入力部と、入力電圧が所定の閾値電圧を下回ったか否かを判定する判定部と、入力電圧が所定の閾値電圧を下回った場合、割り込み処理を行う割り込み処理部と、入力電圧が所定の閾値電圧を下回った場合、所定の出力時間、前記スイッチング素子をオンさせる信号を出力する出力部と、スイッチング素子をオンさせる信号の出力が停止している停止時間を計測する記憶部と、閾値電圧および／または出力電圧に応じてスイッチング素子をオンさせる信号の出力の開始時間、前記出力時間および前記停止時間を制御する制御部とを有することを特徴とする。
【０００９】
上記制御部は、入力電圧の下限値となる時間が入力電圧の閾値電圧となる時間より遅い場合、スイッチング素子をオンさせる信号の出力の開始時間を、現在の開始時間よりも遅くすることができる。
【００１０】
上記制御部は、入力電圧の下限値となる時間が入力電圧の閾値電圧となる時間と一致する場合、スイッチング素子をオンさせる信号の出力の開始時間を変更しないことができる。
【００１１】
上記制御部は、出力電圧が所定の電圧より高い場合、スイッチング素子をオンさせる信号の出力時間を、現在の出力時間よりも短くすることができる。
【００１２】
上記制御部は、出力電圧が所定の電圧より低い場合、スイッチング素子をオンさせる信号の出力時間を、現在の出力時間よりも長くすることができる。
【００１３】
上記制御部は、出力電圧が所定の電圧と一致する場合、スイッチング素子をオンさせる信号の出力時間を変更しないことができる。
【００１４】
上記スイッチング電源装置は、さらに、デジタル制御部への入力電圧をデジタル制御部の耐圧以下の値に制限する定電圧ダイオードを備えることができる。
【発明の効果】
【００１５】
本発明のスイッチング電源装置によれば、擬似共振制御方式のスイッチング電源装置において、補助巻線からの入力電圧に応じてスイッチング素子をオンさせる信号を制御するデジタル制御部を備えることにより、部品点数を増加させることなく、電源効率が良く、ノイズの発生を抑止するスイッチング電源装置を提供することができる。
【図面の簡単な説明】
【００１６】
【図１】本発明の実施形態におけるスイッチング電源装置の回路図を示す
【図２】本発明の実施形態におけるデジタル制御部の構成図を示す
【図３】本発明の実施形態に係るスイッチング電源装置におけるデジタル制御部への取り込み電圧波形を説明する為のグラフを示す
【図４】本発明の実施形態におけるデジタル制御部の処理の流れを説明する為のチャートを示す
【図５】本発明の実施形態に係るスイッチング電源装置における疑似共振移行を説明する為のグラフを示す
【図６】本発明の実施形態に係るスイッチング電源装置における擬似共振動作を説明する為のグラフを示す
【図７】本発明の実施形態に係るスイッチング電源装置における下限電圧の時間の検出点ずれを説明する為のグラフを示す
【図８】本発明の実施形態に係るスイッチング電源装置におけるスイッチング素子のオン時間の導出を説明する為のグラフを示す
【発明を実施するための形態】
【００１７】
本発明のスイッチング電源装置の実施形態について、図面を参照しながら説明する。
【００１８】
図１に示すように、上記スイッチング電源装置１は、トランスＴと、スイッチング素子１４と、デジタル制御部１０と、検知回路１３とを備える。なお、図１では、上記スイッチング電源装置１が、さらに、レギュレータ１１と、ゲートドライバ１２と、定電圧ダイオードＺＤとを備える例が示されている。
【００１９】
上記トランスＴは、１次巻線Ｌ１、補助巻線Ｌ３および２次巻線Ｌ２を有する。
【００２０】
上記スイッチング素子１４は、電源に１次巻線を介して直列に接続される。スイッチング素子１４は、電界効果型トランジスタ等を用いることができる。
【００２１】
上記デジタル制御部１０は、補助巻線Ｌ３からの入力電圧に応じてスイッチング素子１４をオンさせる信号を制御する。
【００２２】
上記検知回路１３は、２次巻線Ｌ２の出力電圧を検知する。検知した出力電圧は、デジタル制御部１０へ伝達され、デジタル制御部１０により監視される。
【００２３】
上記デジタル制御部１０は、検知回路１３からの入力電圧に応じてスイッチング素子１４のデュティ比を変化させ、２次巻線Ｌ２の出力電圧および／または出力電流を制御する。
【００２４】
上記スイッチング電源装置１は、１次巻線Ｌ１に接続された１次側回路と、補助巻線Ｌ３に接続されスイッチング素子１４を含む制御回路と、２次巻線Ｌ２に接続された２次側回路から構成されている。トランスＴは、１次側回路に入力されたエネルギを、デジタル制御部１０によりスイッチング素子１４がオンされた場合に、２次側回路に伝達する。
【００２５】
上記１次巻線Ｌ１は、一方の端子に電源が接続され電圧が供給されており、他方の端子には、スイッチング素子１４のドレインが接続されている。１次巻線Ｌ１は、一方の端子がコンデンサＣ１に接続されている。これにより、トランスＴの１次巻線Ｌ１に発生する電圧は、整流平滑される。
【００２６】
上記１次側回路の入力側には、レギュレータ１１を接続することができる。レギュレータ１１は、電源と直列に接続し、デジタル制御部１０とスイッチング素子１４を駆動させるための電圧を生成し、出力することができる。
【００２７】
上記補助巻線Ｌ３は、一方の端子がダイオードＤ２のアノードに接続され、ダイオードＤ２のカソードを介して、デジタル制御部１０の入力部１０１に接続され、デジタル制御部１０の出力部１０５を介して、スイッチング素子１４のゲートが接続されている。
【００２８】
上記デジタル制御部１０の出力部１０５と上記スイッチング素子１４のゲートは、ゲートドライバ１２を介して接続することもできる。
【００２９】
上記ゲートドライバ１２は、デジタル制御部１０の出力に応じてスイッチング素子１４を駆動させることが可能な信号を出力することができる。上記スイッチング素子１４を駆動させることが可能な信号は、例えば、パルス幅変調信号とすることができる。
【００３０】
上記補助巻線Ｌ３は、一方の端子がダイオードＤ２のアノードに接続され、ダイオードＤ２のカソードを介して、コンデンサＣ３に接続されている。スイッチング素子１４がオフの際、２次巻線Ｌ２の出力電流が流れきった後に、コンデンサＣ３と補助巻き線Ｌ３により、補助巻き線Ｌ３の出力電圧は、共振する。この際に、デジタル制御部１０は、擬似共振ボトム点である補助巻き線Ｌ３の出力電圧の下限値を検出することで、擬似共振動作を実現する。
【００３１】
上記２次巻線Ｌ２は、一方の端子がダイオードＤ１のアノードに接続され、ダイオードＤ１のカソードを介して、コンデンサＣ２に接続されている。これにより、トランスＴの２次巻線Ｌ２に発生する電圧が整流平滑される。２次側回路の出力側には、検知回路１３および抵抗Ｒ１が接続されている。
【００３２】
図２に示すように、上記デジタル制御部１０は、入力部１０１と、判定部１０４と、割り込み処理部１０２と、出力部１０５と、記憶部１０６と、制御部１０３とを有する。
【００３３】
上記入力部１０１は、補助巻線からの入力電圧を入力する。
【００３４】
上記判定部１０４は、入力電圧が所定の閾値電圧を下回ったか否かを判定する。
【００３５】
上記割り込み処理部１０２は、入力電圧が所定の閾値電圧を下回った場合、割り込み処理を行う。
【００３６】
上記出力部１０５は、入力電圧が所定の閾値電圧を下回った場合、所定の出力時間、スイッチング素子１４をオンさせる信号を出力する。
【００３７】
上記記憶部１０６は、スイッチング素子１４をオンさせる信号の出力が停止している停止時間を計測する。記憶部１０６は、スイッチング素子１４をオンさせる信号の出力が出力している出力時間を計測することもできる。
【００３８】
上記制御部１０３は、閾値電圧および／または出力電圧に応じてスイッチング素子１４をオンさせる信号の出力の開始時間、出力時間および停止時間を制御する。制御部１０３は、現在の周期のオン時間とオフ時間より、次の周期のオン時間とオフ時間を比例積分補償等によって計算し、２次巻線Ｌ２の出力電圧を一定に保つ。
【００３９】
上記所定の閾値電圧は、入力電圧の下限値であることが望ましい。上記所定の閾値電圧は、判定部１０４において判定可能な範囲の電圧値とすることができる。上記所定の閾値電圧は、判定可能な範囲の電圧値の下限値が、入力電圧の下限値より高い場合、判定可能な範囲の電圧値における下限値とすることができる。
【００４０】
上記デジタル制御部１０は、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ  Ｐｒｏｃｅｓｓｉｎｇ  Ｕｎｉｔ）などの電子回路とプログラムを記憶した記録部を備え、電子回路によりプログラムの処理を実行することにより制御を実現することができる。また、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ  Ｐｒｏｇｒａｍｍａｂｌｅ  Ｇａｔｅ  Ａｒｒａｙ）などの集積回路を用いた回路構成により制御を実現することができる。
【００４１】
このように、本発明のスイッチング電源装置１によれば、擬似共振制御方式のスイッチング電源装置において、補助巻線Ｌ３からの入力電圧に応じてスイッチング素子１４をオンさせる信号を制御するデジタル制御部１０を備えることにより、部品点数を増加させることなく、電源効率が良く、ノイズの発生を抑止するスイッチング電源装置を提供する。
【００４２】
上記制御部１０３は、入力電圧の下限値となる時間が入力電圧の閾値電圧となる時間より遅い場合、スイッチング素子１４をオンさせる信号の出力の開始時間を、現在の開始時間よりも遅くすることができる。上記制御部１０３は、例えば、スイッチング素子１４をオンさせる信号の出力の開始時間を、現在の開始時間よりも１０ｓｅｃ遅くすることができる。
【００４３】
上記制御部１０３は、入力電圧の下限値となる時間が入力電圧の閾値電圧となる時間と一致する場合、スイッチング素子１４をオンさせる信号の出力の開始時間を変更しないことができる。
【００４４】
上記制御部１０３は、出力電圧が所定の電圧より高い場合、スイッチング素子１４をオンさせる信号の出力時間を、現在の出力時間よりも短くすることができる。上記制御部１０３は、例えば、スイッチング素子１４をオンさせる信号の出力時間を、現在の出力時間よりも１０ｎｓｅｃ短くすることができる。
【００４５】
上記制御部１０３は、出力電圧が所定の電圧より低い場合、スイッチング素子１４をオンさせる信号の出力時間を、現在の出力時間よりも長くすることができる。上記制御部１０３は、例えば、スイッチング素子１４をオンさせる信号の出力時間を、現在の出力時間よりも１０ｎｓｅｃ長くすることができる。
【００４６】
上記制御部１０３は、出力電圧が所定の電圧と一致する場合、スイッチング素子１４をオンさせる信号の出力時間を変更しないことができる。
【００４７】
上記所定の電圧は、出力側に接続されたスイッチングの対象物の規格に基づいた値とすることができる。スイッチングの対象物とは、例えば、ＬＥＤ照明等とすることができる。
【００４８】
図３は、スイッチング電源装置1におけるデジタル制御部１０への入力電圧を説明する為のグラフである。図３（ａ）は、１次巻線Ｌ１の出力電圧の時間変化を示しており、図３（ｂ）は、補助巻線Ｌ３の出力電圧の時間変化を示しており、図３（ｃ）は、デジタル制御部１０への入力電圧の時間変化を示している。
【００４９】
上記補助巻線Ｌ３の巻数を１次巻線Ｌ１の巻数より少なくすることにより、１次巻線Ｌ１の出力電圧に対して、補助巻線Ｌ３の出力電圧は、低くすることができる。例えば、１次巻線Ｌ１の出力電圧が、５０Ｖから７００Ｖであった場合、補助巻線Ｌ３の出力電圧は、１．５Ｖから７０Ｖ等とすることができる。
【００５０】
上記スイッチング電源装置１は、さらに、定電圧ダイオードＺＤを備えることができる。上記定電圧ダイオードＺＤは、デジタル制御部１０への入力電圧をデジタル制御部１０の耐圧以下の値に制限することができる。デジタル制御部１０の耐圧以下の値は、例えば、２０Ｖ等とすることができる。定電圧ダイオードＺＤの出力電圧は、例えば、補助巻線Ｌ３の出力電圧が、１．５Ｖから７０Ｖであった場合、１．５Ｖから２０Ｖ等とすることができる。
【００５１】
図４は、本発明のデジタル制御部１０により実現される処理のフローの一例を説明するためのフローチャートである。
【００５２】
電源を起動することでデジタル制御部１０は起動し、立ち上がりシーケンス（Ｓ２１０）、擬似共振移行シーケンスの順に動作を行い（Ｓ２２０）、出力電圧を安定させた上で、擬似共振動作を行う（Ｓ２３０）。
【００５３】
立ち上がりシーケンス（Ｓ２１０）では、スイッチング素子１４をオンさせる信号のスイッチング周波数を一定にとし、スイッチング素子１４のオン時間を初期状態から少しずつ増やし、出力電圧を目標値に近づける。スイッチング周波数は、例えば、８０ＫＨｚ等とすることができる。オン時間は、例えば、１０周期に１度、初期状態から１０ｎｓｅｃずつ増やすことができる。目標値は、出力側に接続されたスイッチングの対象物の規格に基づいた値とすることができる。スイッチングの対象物とは、例えば、ＬＥＤ照明等とすることができる。
【００５４】
立ち上がりシーケンス（Ｓ２１０）は、出力電圧が目標値と一致したら、擬似共振移行シーケンス（Ｓ２２０）に移行する。立ち上がりシーケンス（Ｓ２１０）は、初期状態で出力電圧と目標値が一致している場合、処理を行わず、疑似共振移行シーケンス（Ｓ２２０）に移行する。
【００５５】
図５は、疑似共振移行シーケンス（Ｓ２２０）開始時の制御回路の各部における入力または出力波形の概形を表したグラフである。図５（ａ）は、デジタル制御部１０の入力電圧の時間変化を示しており、図５（ｂ）は、デジタル制御部１０の出力電流の時間変化を示しており、図５（ｃ）は、スイッチング素子１４のゲート電圧の時間変化を示している。図５（ａ）、図５（ｂ）および図５（ｃ）に示すように、擬似共振移行シーケンス（Ｓ２２０）では、オン時間の開始時間が、出力電圧の下限値となる時間と異なっていることがある。
【００５６】
擬似共振移行シーケンス（Ｓ２２０）では、オン時間の開始時間を、出力電圧の下限値となる時間に近づけるため、スイッチング周波数を上げる。擬似共振移行シーケンス（Ｓ２２０）では、スイッチング周波数を上げる際に、現在のスイッチング動作の一周期のオンオフ時間の比を一定に維持するため、オン時間が短くなる。スイッチング周波数は、例えばスイッチング動作１周期毎に１Ｈｚ等の間隔で上げることができる。
【００５７】
擬似共振移行シーケンス（Ｓ２２０）では、上記スイッチング周波数を上げる行程を繰り返し、出力電圧の下限値となる時間とオン時間の開始時間との差が所定の時間以内となると擬似共振動作に移行する。所定の時間とは、例えば１μｓｅｃ等とすることができる。擬似共振移行シーケンス（Ｓ２２０）では、初期状態で出力電圧の下限値となる時間とオン時間の開始時間の差が所定の時間である場合、処理が実行されず、疑似共振動作（Ｓ２３０）に移行する。
【００５８】
図６は、疑似共振動作（Ｓ２３０）時の制御回路の各部における入力または出力波形の概形を表したグラフである。図５（ａ）は、デジタル制御部１０の入力電圧の時間変化を示しており、図５（ｂ）は、デジタル制御部１０の出力電流の時間変化を示しており、図５（ｃ）は、スイッチング素子１４のゲート電圧の時間変化を示している。
【００５９】
疑似共振動作（Ｓ２３０）では、デジタル制御部１０の入力電圧が閾値電圧を下回ったら割り込み処理を行い、スイッチング素子１４をオンする。
【００６０】
疑似共振動作（Ｓ２３０）では、図７に示すようにデジタル制御部１０の入力電圧の下限値となる時間が入力電圧の閾値電圧となる時間と一致しない場合、スイッチング素子１４のオフ時間を長くし、オン時間の開始時間を遅らせる。このように疑似共振動作（Ｓ２３０）では、デジタル制御部１０の仕様によって、設定可能な閾値電圧が異なるため、デジタル制御部１０の仕様に応じてオン時間の開始時間の調整を行う。
【００６１】
図８は、疑似共振動作（Ｓ２３０）時のデジタル制御部１０における入力または出力波形の概形を表したグラフである。図８（ａ）は、デジタル制御部１０の入力電圧の時間変化を示しており、図８（ｂ）は、デジタル制御部１０の出力電流の時間変化を示している。
【００６２】
疑似共振動作（Ｓ２３０）では、オフ時間を変更した場合、１周期前のオン時間、オフ時間および現在の周期のオフ時間を用いて、現在の周期のオン時間を算出する。各周期のオン時間およびオフ時間の比を等しく制御するパルス幅変調制御を用い制御することから、現在の周期のオン時間は、１周期前のオン時間および現在の周期のオフ時間の積を１周期前のオフ時間で割ることにより算出される（現在の周期のオン時間＝１周期前のオン時間×現在の周期のオフ時間／１周期前のオフ時間）。このように、疑似共振動作（Ｓ２３０）では、デジタル制御部１０の入力電圧の下限値となる時間を追従し、オン時間を制御する。
【００６３】
上述したところは、代表的な実施形態の例を示したものであって、本発明はこの実施形態に限定されるものではない。
【符号の説明】
【００６４】
１    スイッチング電源装置
１０  デジタル制御部
１１  レギュレータ
１２  ゲートドライバ
１３  検知回路
１４  スイッチング素子
１０１  入力部
１０２  割り込み処理部
１０３  制御部
１０４  判定部
１０５  出力部
１０６  記憶部
Ｌ１  １次巻線
Ｌ２  ２次巻線
Ｌ３  補助巻線
Ｃ１  コンデンサ
Ｃ２  コンデンサ
Ｃ３  コンデンサ
Ｄ１  ダイオード
Ｄ２  ダイオード
Ｒ１  抵抗
Ｔ    トランス
ＺＤ  定電圧ダイオード
【図１】
2015070771.tif 000003
【図２】
2015070771.tif 000004
【図３】
2015070771.tif 000005
【図４】
2015070771.tif 000006
【図５】
2015070771.tif 000007
【図６】
2015070771.tif 000008
【図７】
2015070771.tif 000009
【図８】
2015070771.tif 000010